(57)【特許請求の範囲】
【請求項１】
撮像により得られたＲＡＷデータの現像処理を含む画像処理を実行する画像処理部を備えた複数の画像処理装置を制御する情報処理装置であって、
前記複数の画像処理装置の電源状態に関する電源情報を取得する電源情報取得部と、
前記電源情報取得部により取得された電源情報が表す電源状態に応じて、前記複数の画像処理装置の各々における前記現像処理の処理能力を導出する導出部と、
前記導出部により導出された処理能力に応じて、前記現像処理を実行させる前記画像処理装置を選択する選択部と、
前記選択部により選択された画像処理装置に、前記現像処理の実行を指示する実行部と、
を備えた情報処理装置。
【請求項２】
前記ＲＡＷデータは、前記画像処理装置が備える撮像部による撮像により得られたＲＡＷデータである
請求項１に記載の情報処理装置。
【請求項３】
前記電源情報は、前記画像処理装置が外部電源に接続されて駆動しているか、又は前記画像処理装置の内蔵電池により駆動しているかを表す情報と、前記内蔵電池により駆動している場合は前記内蔵電池の残量を表す情報とを含む
請求項２に記載の情報処理装置。
【請求項４】
前記情報処理装置は、
前記導出部により導出された前記画像処理装置の各々の処理能力を表す情報を表示部に表示する表示制御部と、
前記表示部に表示された情報に応じてユーザにより選択された画像処理装置を示す情報を受け付ける受付部と、
を更に備え、
前記選択部は、前記受付部により受け付けられた情報が示す画像処理装置を選択する
請求項１から請求項３の何れか１項に記載の情報処理装置。
【請求項５】
前記表示制御部は、前記電源状態が悪い状態として予め定められた状態の前記画像処理装置について、使用不可であることを表す情報を前記表示部に表示する制御を更に行う
請求項４に記載の情報処理装置。
【請求項６】
前記ＲＡＷデータは、複数存在し、
前記選択部は、前記複数のＲＡＷデータの前記現像処理に要する処理能力が、前記複数の画像処理装置の各々について前記導出部により導出された処理能力の各々を超える場合、前記導出部により導出された処理能力の合計が、前記現像処理に要する処理能力以上となる複数の前記画像処理装置を選択する
請求項１から請求項５の何れか１項に記載の情報処理装置。
【請求項７】
前記導出部は、更に、前記現像処理後の画像データのフォーマットに応じて、前記処理能力を導出する
請求項１から請求項６の何れか１項に記載の情報処理装置。
【請求項８】
前記実行部は、前記現像処理の対象とするＲＡＷデータが、前記電源状態が悪い状態として予め定められた状態の前記画像処理装置に保存されている場合、保存されているＲＡＷデータを、前記選択部により選択された画像処理装置に転送させた後に、前記現像処理を実行させる
請求項１から請求項７の何れか１項に記載の情報処理装置。
【請求項９】
撮像により得られたＲＡＷデータの現像処理を含む画像処理を実行する画像処理部を備えた複数の画像処理装置を制御する情報処理方法であって、
前記複数の画像処理装置の電源状態に関する電源情報を取得し、
取得した電源情報が表す電源状態に応じて、前記複数の画像処理装置の各々における前記現像処理の処理能力を導出し、
導出した処理能力に応じて、前記現像処理を実行させる前記画像処理装置を選択し、
選択した画像処理装置に、前記現像処理の実行を指示する
情報処理方法。
【請求項１０】
撮像により得られたＲＡＷデータの現像処理を含む画像処理を実行する画像処理部を備えた複数の画像処理装置、及び
前記複数の画像処理装置の電源状態に関する電源情報を取得する電源情報取得部と、
前記電源情報取得部により取得された電源情報が表す電源状態に応じて、前記複数の画像処理装置の各々における前記現像処理の処理能力を導出する導出部と、
前記導出部により導出された処理能力に応じて、前記現像処理を実行させる前記画像処理装置を選択する選択部と、
前記選択部により選択された画像処理装置に、前記現像処理の実行を指示する実行部と、
を備えた情報処理装置
を含む画像処理システム。
【発明の詳細な説明】
【技術分野】
【０００１】
本開示は、画像処理システム、画像処理方法、及び情報処理装置に関する。
【背景技術】
【０００２】
従来、ＲＡＷデータの現像処理を実行する端末装置に関する性能データに基づいて、複数の端末装置の各々により実行される現像処理の配分を規定したスケジュールテーブルを生成する情報処理装置が開示されている（特開２００７−１４２５５１号公報参照）。この情報処理装置は、生成したスケジュールテーブルに基づいて、ＲＡＷデータ及び現像処理の命令データを各端末装置に送信する。【０００３】
また、外部機器において設定された現像パラメータに基づいて、ＲＡＷデータに対して現像処理を行い、表示用の現像データを生成する撮像装置が開示されている（特開２０１５−３２８９０号公報参照）。
【発明の概要】
【発明が解決しようとする課題】
【０００４】
ところで、ＲＡＷデータの現像処理に用いられる現像パラメータの設定は、パーソナルコンピュータ等の情報処理装置を用いて行うことにより、ユーザにとっての利便性が向上する場合が多い。これは、情報処理装置が備える表示部は、ＲＡＷデータを生成する撮像装置が備える表示部よりも大画面である場合が多く、視認性が高いためである。【０００５】
一方、ＲＡＷデータの現像処理を、パーソナルコンピュータ等の情報処理装置により実行する場合、ソフトウェア処理によって実行することになるため、現像処理に比較的長い時間がかかってしまう場合がある。これに対し、ＲＡＷデータの現像処理専用のハードウェアにより実現された画像処理部を有する撮像装置に、ＲＡＷデータの現像処理を実行させることによって、現像処理にかかる時間を短縮することが考えられる。【０００６】
しかしながら、ＲＡＷデータの現像処理を撮像装置に実行させる場合、撮像装置の電源状態によっては、現像処理が完了せずに失敗してしまう場合がある、という問題がある。特開２００７−１４２５５１号公報及び特開２０１５−３２８９０号公報に記載の技術では、この問題については考慮されていない。なお、この問題は、撮像装置に限らずに、内蔵電池で駆動する画像処理装置において発生し得るものである。【０００７】
本開示は、以上の事情を鑑みて成されたものであり、ＲＡＷデータの現像処理の失敗を抑制することができる画像処理システム、画像処理方法、及び情報処理装置を提供する。
【課題を解決するための手段】
【０００８】
本開示の画像処理システムは、撮像により得られたＲＡＷデータの現像処理を含む画像処理を実行する画像処理部を備えた複数の画像処理装置、及び複数の画像処理装置の電源状態に関する電源情報を取得する電源情報取得部と、電源情報取得部により取得された電源情報が表す電源状態に応じて、現像処理を実行させる画像処理装置を選択する選択部と、選択部により選択された画像処理装置に、現像処理を実行させる実行部と、を備えた情報処理装置を含む。【０００９】
なお、本開示の画像処理システムは、複数の画像処理装置の各々が、撮像部を備えた撮像装置であり、ＲＡＷデータが、撮像部による撮像により得られたＲＡＷデータであってもよい。【００１０】
また、本開示の画像処理システムは、複数の撮像装置の各々が、内蔵電池を含み、電源情報が、撮像装置が外部電源に接続されて駆動しているか、又は内蔵電池により駆動しているかを表す情報と、内蔵電池により駆動している場合は内蔵電池の残量を表す情報とを含んでもよい。【００１１】
また、本開示の画像処理システムは、情報処理装置が、電源情報取得部により取得された電源情報が表す電源状態に応じて、複数の画像処理装置の各々における現像処理の処理能力を導出する導出部を更に備えてもよい。【００１２】
また、本開示の画像処理システムは、情報処理装置が、導出部により導出された処理能力を表す情報を表示部に表示する制御を行う表示制御部と、表示部に表示された情報に応じてユーザにより選択された画像処理装置を示す情報を受け付ける受付部と、を更に備え、選択部が、受付部により受け付けられた情報が示す画像処理装置を選択してもよい。【００１３】
また、本開示の画像処理システムは、表示制御部が、電源状態が悪い状態として予め定められた状態の画像処理装置について、使用不可であることを表す情報を表示部に表示する制御を更に行ってもよい。【００１４】
また、本開示の画像処理システムは、ＲＡＷデータが、複数存在し、選択部が、複数のＲＡＷデータの現像処理に要する処理能力が、複数の画像処理装置の各々について導出部により導出された処理能力の各々を超える場合、導出部により導出された処理能力の合計が、現像処理に要する処理能力以上となる複数の画像処理装置を選択してもよい。【００１５】
また、本開示の画像処理システムは、導出部が、更に、現像処理後の画像データのフォーマットに応じて、処理能力を導出してもよい。【００１６】
また、本開示の画像処理システムは、実行部が、現像処理の対象とするＲＡＷデータが、電源状態が悪い状態として予め定められた状態の画像処理装置に保存されている場合、保存されているＲＡＷデータを、選択部により選択された画像処理装置に転送させた後に、現像処理を実行させてもよい。【００１７】
一方、本開示の画像処理方法は、撮像により得られたＲＡＷデータの現像処理を含む画像処理を実行する画像処理部を備えた複数の画像処理装置と、情報処理装置とを含む画像処理システムによる画像処理方法であって、複数の画像処理装置の電源状態に関する電源情報を取得し、取得した電源情報が表す電源状態に応じて、現像処理を実行させる画像処理装置を選択し、選択した画像処理装置に、現像処理を実行させるものである。【００１８】
また、本開示の情報処理装置は、撮像により得られたＲＡＷデータの現像処理を含む画像処理を実行する画像処理部を備えた複数の画像処理装置の電源状態に関する電源情報を取得する電源情報取得部と、電源情報取得部により取得された電源情報が表す電源状態に応じて、現像処理を実行させる画像処理装置を選択する選択部と、選択部により選択された画像処理装置に、現像処理を実行させる実行部と、を備えている。【００１９】
また、本開示の情報処理装置は、コンピュータに実行させるための命令を記憶するメモリと、記憶された命令を実行するよう構成されたプロセッサと、を備え、プロセッサは、撮像により得られたＲＡＷデータの現像処理を含む画像処理を実行する画像処理部を備えた複数の画像処理装置の電源状態に関する電源情報を取得し、取得した電源情報が表す電源状態に応じて、現像処理を実行させる画像処理装置を選択し、選択した画像処理装置に、現像処理を実行させる。
【発明の効果】
【００２０】
本開示によれば、ＲＡＷデータの現像処理の失敗を抑制することができる。
【図面の簡単な説明】
【００２１】
【図１】各実施形態に係る画像処理システムの構成の一例を示すブロック図である。
【図２】各実施形態に係る撮像装置のハードウェア構成の一例を示すブロック図である。
【図３】各実施形態に係る情報処理装置のハードウェア構成の一例を示すブロック図である。
【図４】各実施形態に係る第１係数テーブルの一例を示す図である。
【図５】各実施形態に係る第２係数テーブルの一例を示す図である。
【図６】第１実施形態に係る情報処理装置の機能的な構成の一例を示すブロック図である。
【図７】第１実施形態に係る現像処理の一例を示すフローチャートである。
【図８】第１実施形態に係る処理能力表示画面の一例を示す図である。
【図９】第２実施形態に係る情報処理装置の機能的な構成の一例を示すブロック図である。
【図１０】第２実施形態に係る現像処理の一例を示すフローチャートである。
【発明を実施するための形態】
【００２２】
以下、図面を参照して、本開示の技術を実施するための形態例を詳細に説明する。
【００２３】
［第１実施形態］
まず、図１を参照して、本実施形態に係る画像処理システム１０の構成を説明する。図１に示すように、画像処理システム１０は、複数（図１の例では、３台）の撮像装置１２及び１台の情報処理装置１４を含む。各撮像装置１２は、有線通信及び無線通信の少なくとも一方により情報処理装置１４に接続される。なお、撮像装置１２の台数は、３台に限定されず、２台でもよいし、４台以上でもよい。また、撮像装置１２が画像処理装置の一例である。また、撮像装置１２の例としてはデジタルカメラが挙げられ、情報処理装置１４の例としてはパーソナルコンピュータが挙げられる。
【００２４】
次に、図２を参照して、本実施形態に係る撮像装置１２のハードウェア構成を説明する。図２に示すように、撮像装置１２は、ＣＰＵ（Central Processing Unit）２０、一時記憶領域としてのメモリ２１、フラッシュメモリ等の不揮発性の記憶部２２、撮像部２３、及び画像処理部２４を含む。また、撮像装置１２は、液晶ディスプレイ等の表示部２５と、ダイヤル、レリーズボタン、十字キー、ＭＥＮＵキー、及びタッチパネル等の入力部２６と、情報処理装置１４に接続される外部Ｉ／Ｆ（InterFace）２７とを含む。また、撮像装置１２は、電力供給部２８及びリチウムイオンバッテリー等の内蔵電池２９を含む。ＣＰＵ２０、メモリ２１、記憶部２２、撮像部２３、画像処理部２４、表示部２５、入力部２６、外部Ｉ／Ｆ２７、及び電力供給部２８は、バス３０に接続される。なお、内蔵電池２９は、リチウムイオンバッテリーに限定されず、一次電池でもよいし、リチウムイオンバッテリー以外の二次電池でもよい。
【００２５】
撮像部２３は、ＣＣＤ（Charge Coupled Device）イメージセンサ等の撮像素子を含み、撮像により得られたＲＡＷデータを出力する。ＲＡＷデータとは、ＪＰＥＧ（Joint Photographic Experts Group）形式又はＴＩＦＦ（Tagged Image File Format）形式等の画像データに変換するための画像処理を経ていないデータを表す。
【００２６】
画像処理部２４は、撮像部２３による撮像により得られたＲＡＷデータの現像処理を含む画像処理を実行する。本実施形態に係る画像処理部２４は、画像処理専用に設計された半導体集積回路等のハードウェアにより実現される。画像処理部２４は、ＲＡＷデータに対して現像処理を含む画像処理を実行することによって画像データを生成し、生成した画像データを記憶部２２に記憶する。
【００２７】
電力供給部２８は、撮像装置１２がＡＣ（Alternating Current）−ＤＣ（Direct Current）電源等の外部電源に接続されている場合、外部電源から供給される電力を、電力により駆動する撮像装置１２の各構成部品に供給する。また、電力供給部２８は、撮像装置１２が外部電源に未接続の場合、内蔵電池２９から供給される電力を、電力により駆動する撮像装置１２の各構成部品に供給する。なお、外部電源は、ＡＣ−ＤＣ電源に限定されず、例えば、撮像装置１２と接続することによって撮像装置１２に電力を供給可能な情報処理装置でもよい。
【００２８】
次に、図３を参照して、本実施形態に係る情報処理装置１４のハードウェア構成を説明する。図３に示すように、情報処理装置１４は、ＣＰＵ４０、一時記憶領域としてのメモリ４１、及び不揮発性の記憶部４２を含む。また、情報処理装置１４は、液晶ディスプレイ等の表示部４３、キーボードとマウス等の入力部４４、撮像装置１２が接続される外部Ｉ／Ｆ４５、及びネットワークに接続されるネットワークＩ／Ｆ４６を含む。ＣＰＵ４０、メモリ４１、記憶部４２、表示部４３、入力部４４、外部Ｉ／Ｆ４５、及びネットワークＩ／Ｆ４６は、バス４７に接続される。
【００２９】
記憶部４２は、ＨＤＤ（Hard Disk Drive）、ＳＳＤ（Solid State Drive）、及びフラッシュメモリ等によって実現される。記憶媒体としての記憶部４２には、情報処理プログラム５０が記憶される。ＣＰＵ４０は、記憶部４２から情報処理プログラム５０を読み出してからメモリ４１に展開し、展開した情報処理プログラム５０を実行する。
【００３０】
また、記憶部４２には、第１係数テーブル５２及び第２係数テーブル５４が記憶される。図４に、第１係数テーブル５２の一例を示す。図４に示すように、本実施形態に係る第１係数テーブル５２には、撮像装置１２の機種毎に係数が記憶される。図５に、第２係数テーブル５４の一例を示す。図５に示すように、本実施形態に係る第２係数テーブル５４には、画像データのフォーマット毎に係数が記憶される。なお、画像データのフォーマットは、静止画像のフォーマットに限定されず、動画像のフォーマットでもよい。
【００３１】
次に、図６を参照して、本実施形態に係る情報処理装置１４の機能的な構成について説明する。図６に示すように、情報処理装置１４は、電源情報取得部６０、導出部６２、表示制御部６４、受付部６６、選択部６８、実行部７０、及び画像取得部７２を含む。情報処理装置１４のＣＰＵ４０が情報処理プログラム５０を実行することによって、電源情報取得部６０、導出部６２、表示制御部６４、受付部６６、選択部６８、実行部７０、及び画像取得部７２として機能する。
【００３２】
電源情報取得部６０は、各撮像装置１２から、撮像装置１２の電源状態に関する電源情報を取得する。本実施形態に係る電源情報には、撮像装置１２が外部電源に接続されて駆動しているか、又は内蔵電池２９により駆動しているかを表す情報が含まれる。また、撮像装置１２が内蔵電池２９により駆動している場合は、電源情報には、内蔵電池２９の残量を表す情報（以下、「残量情報」という）も含まれる。本実施形態では、残量情報として、内蔵電池２９が満充電の状態での容量に対する内蔵電池２９の残容量の割合（例えば、６０％等）を適用した場合を説明するが、これに限定されない。例えば、残量として、内蔵電池２９の残容量そのものを適用してもよい。
【００３３】
導出部６２は、電源情報取得部６０により取得された電源情報が表す電源状態に応じて、各撮像装置１２におけるＲＡＷデータの現像処理の処理能力を導出する。具体的には、導出部６２は、内蔵電池２９により駆動している撮像装置１２については、第１係数テーブル５２を参照し、その撮像装置１２の機種に対応する係数（以下、「第１係数」という）を取得する。また、この場合、導出部６２は、第２係数テーブル５４を参照し、後述する受付部６６により受け付けられた画像データのフォーマットに対応する係数（以下、「第２係数」という）を取得する。
【００３４】
そして、導出部６２は、電源情報取得部６０により取得された電源情報に含まれる残量情報に、取得した第１係数及び第２係数を乗算することによって、ＲＡＷデータの現像処理の処理能力を導出する。例えば、撮像装置１２の残量情報が６０％であり、機種が「ＤＳＣ−Ａ２」であり、画像データのフォーマットがＴＩＦＦの場合、その撮像装置１２の処理能力は、９０（＝６０×３．０×０．５）となる。なお、本実施形態では、処理能力として、撮像装置１２が現像可能なＲＡＷデータの数の上限値を適用している。
【００３５】
一方、導出部６２は、外部電源により駆動している撮像装置１２については、ＲＡＷデータの現像処理の処理能力を無限大と導出する。なお、外部電源により駆動している撮像装置１２について、残量情報を満充電の状態を表す１００％を超える所定の値として取り扱い、内蔵電池２９により駆動している撮像装置１２と同様に、残量情報に第１係数及び第２係数を乗算することによって処理能力を導出してもよい。
【００３６】
表示制御部６４は、導出部６２により導出された処理能力を表す情報を表示部４３に表示する制御を行う。また、表示制御部６４は、電源状態が悪い状態として予め定められた状態の撮像装置１２については、使用不可であることを表す情報を表示部４３に表示する制御を行う。電源状態が悪い状態として予め定められた状態としては、例えば、電源情報に含まれる残量情報が、予め定められた閾値（例えば、２０％）以下である状態が挙げられる。また、表示制御部６４は、後述する画像取得部７２により取得された画像データが示す画像を表示部４３に表示する制御を行う。
【００３７】
受付部６６は、ユーザにより入力部４４を介して入力された現像処理の対象とするＲＡＷデータを表す情報、及び現像パラメータを受け付ける。また、受付部６６は、表示部４３に表示された処理能力を表す情報に応じて、ユーザにより入力部４４を介して選択された撮像装置１２を表す情報を受け付ける。
【００３８】
選択部６８は、受付部６６により受け付けられた情報が示す撮像装置１２を選択する。実行部７０は、選択部６８により選択された撮像装置１２に、ＲＡＷデータの現像処理を実行させる。具体的には、実行部７０は、選択部６８により選択された撮像装置１２に、現像処理の対象とするＲＡＷデータを表す情報、現像パラメータ、及び現像処理の実行指示を外部Ｉ／Ｆ４５を介して送信することによって、ＲＡＷデータの現像処理を実行させる。
【００３９】
この際、実行部７０は、現像処理の対象とするＲＡＷデータが、上記電源状態が悪い状態として予め定められた状態の撮像装置１２に保存されている場合、そのＲＡＷデータを選択部６８により選択された撮像装置１２に転送させた後に、現像処理を実行させる。また、実行部７０は、現像処理の対象とするＲＡＷデータが、選択部６８により選択された撮像装置１２以外の撮像装置１２に保存されている場合も、そのＲＡＷデータを選択部６８により選択された撮像装置１２に転送させた後に、現像処理を実行させる。また、実行部７０は、現像処理の対象とするＲＡＷデータが、情報処理装置１４に保存されている場合も、そのＲＡＷデータを選択部６８により選択された撮像装置１２に転送した後に、現像処理を実行させる。
【００４０】
画像取得部７２は、撮像装置１２による現像処理を含む画像処理により得られた画像データを、画像処理の実行元の撮像装置１２から、外部Ｉ／Ｆ４５を介して取得する。
【００４１】
次に、図７を参照して、本実施形態に係る画像処理システム１０の作用、及び、画像処理方法を説明する。情報処理装置１４のＣＰＵ４０が情報処理プログラム５０を実行することによって、図７に示す現像処理が実行される。図７に示す現像処理は、例えば、ユーザにより入力部４４を介して、現像処理の対象とするＲＡＷデータを表す情報、及び現像パラメータが入力された場合に実行される。なお、本実施形態では、現像処理の対象とするＲＡＷデータは、各撮像装置１２の記憶部２２及び情報処理装置１４の記憶部４２の少なくとも１つに記憶されている。また、現像パラメータには、例えば、ダイナミックレンジ、ホワイトバランス、及びシャープネス等の画質に関するパラメータと、ＪＰＥＧ及びＴＩＦＦ等の現像処理後の画像データのフォーマットが含まれる。
【００４２】
図７のステップＳ１０で、受付部６６は、ユーザにより入力部４４を介して入力された現像処理の対象とするＲＡＷデータを表す情報、及び現像パラメータを受け付ける。ステップＳ１２で、電源情報取得部６０は、各撮像装置１２から、撮像装置１２の電源状態に関する電源情報を取得する。
【００４３】
ステップＳ１４で、導出部６２は、前述したように、ステップＳ１２の処理により取得された電源情報が表す電源状態に応じて、各撮像装置１２におけるＲＡＷデータの現像処理の処理能力を導出する。
【００４４】
ステップＳ１６で、表示制御部６４は、前述したように、ステップＳ１４の処理により導出された処理能力を表す情報を表示部４３に表示する制御を行う。本ステップＳ１６の処理により、一例として図８に示す処理能力表示画面が表示部４３に表示される。図８に示すように、本実施形態に係る処理能力表示画面では、予め定められたメッセージと、各撮像装置１２（図８の例では、「カメラ１」〜「カメラ３」と表記）の処理能力を表す情報として、撮像装置１２が現像可能なＲＡＷデータの数の上限値が表示される。
【００４５】
また、図８に示すように、本実施形態に係る処理能力表示画面では、電源状態が悪い状態として予め定められた状態の撮像装置１２（図８の例では、「カメラ２」）については、使用不可であることを表す情報が表示される。また、処理能力表示画面では、使用可能な撮像装置１２については、ユーザがＲＡＷデータの現像枚数を入力する入力欄も表示される。
【００４６】
ユーザは、入力部４４を介して、処理能力表示画面の入力欄に、その入力欄に対応する撮像装置１２に現像処理を行わせるＲＡＷデータの数を入力した後、実行ボタンを指定する。なお、ユーザは、１台の撮像装置１２のみについて、現像枚数の入力欄に１以上の数値を入力してもよいし、複数台の撮像装置１２の各々について、現像枚数の入力欄に１以上の数値を入力してもよい。また、例えば、処理能力表示画面の現像枚数の入力欄には、その入力欄に対応する撮像装置１２の処理能力を超える数値を入力することができないようにしてもよい。
【００４７】
ステップＳ１８で、受付部６６は、処理能力表示画面においてユーザにより入力された現像枚数を受け付け、受け付けた現像枚数が１以上の撮像装置１２をユーザにより選択された撮像装置１２として受け付ける。ステップＳ２０で、選択部６８は、ステップＳ１８の処理により受け付けられた情報が示す撮像装置１２を選択する。
【００４８】
ステップＳ２２で、実行部７０は、前述したように、ステップＳ２０の処理により選択された撮像装置１２に、ステップＳ１８の処理により受け付けられた数のＲＡＷデータの現像処理を、ステップＳ１０の処理により受け付けられた現像パラメータを用いて実行させる。この際、実行部７０は、選択された撮像装置１２に保存されているＲＡＷデータについては、その撮像装置１２に現像処理を実行させる。また、実行部７０は、選択された撮像装置１２に保存されていないＲＡＷデータについては、選択された撮像装置１２に転送させた後に、現像処理を実行させる。なお、この転送の際、例えば、実行部７０は、サイズが大きいＲＡＷデータから順番に、ステップＳ１４の処理により導出された処理能力が高い撮像装置１２に優先的に転送させてもよい。
【００４９】
ステップＳ２２の処理により実行指示が入力された撮像装置１２の画像処理部２４は、ＲＡＷデータの現像処理を含む画像処理を実行する。
【００５０】
ステップＳ２４で、画像取得部７２は、撮像装置１２による現像処理を含む画像処理により得られた画像データを、画像処理の実行元の撮像装置１２から、外部Ｉ／Ｆ４５を介して取得する。ステップＳ２６で、表示制御部６４は、ステップＳ２４の処理により取得された画像データが示す画像を表示部４３に表示する制御を行う。ステップＳ２６の処理が終了すると、現像処理が終了する。
【００５１】
以上説明したように、本実施形態によれば、電源情報が表す電源状態に応じて、現像処理を実行させる撮像装置１２を選択し、選択した撮像装置１２に現像処理を実行させている。従って、ＲＡＷデータの現像処理の失敗を抑制することができる。
【００５２】
［第２実施形態］
第１実施形態では、処理能力表示画面においてユーザが現像枚数を入力することによって、ＲＡＷデータの現像処理を実行させる撮像装置１２を選択する形態例を説明した。本第２実施形態では、現像処理を実行させる撮像装置１２を示す情報をユーザに入力させずに、情報処理装置１４が現像処理を実行させる撮像装置１２を選択する形態例を説明する。なお、画像処理システム１０の構成（図１参照）、撮像装置１２のハードウェア構成（図２参照）、及び情報処理装置１４のハードウェア構成（図３）は、上記第１実施形態と同様であるため、説明を省略する。
【００５３】
まず、図９を参照して、本実施形態に係る情報処理装置１４の機能的な構成について説明する。第１実施形態に係る情報処理装置１４と同一の機能を有する構成要素については図６と同一の符号を付して、説明を省略する。図９に示すように、情報処理装置１４は、電源情報取得部６０、導出部６２、表示制御部６４Ａ、受付部６６Ａ、選択部６８Ａ、実行部７０、及び画像取得部７２を含む。情報処理装置１４のＣＰＵ４０が情報処理プログラム５０を実行することによって、電源情報取得部６０、導出部６２、表示制御部６４Ａ、受付部６６Ａ、選択部６８Ａ、実行部７０、及び画像取得部７２として機能する。
【００５４】
受付部６６Ａは、ユーザにより入力部４４を介して入力された現像処理の対象とするＲＡＷデータを表す情報、及び現像パラメータを受け付ける。
【００５５】
選択部６８Ａは、導出部６２により導出された処理能力が最も高い撮像装置１２を選択する。なお、選択部６８Ａは、導出部６２により導出された処理能力が高い撮像装置１２から順に、複数の撮像装置１２を選択してもよい。
【００５６】
また、選択部６８Ａは、受付部６６Ａにより受け付けられた現像処理の対象とするＲＡＷデータが複数あり、そのＲＡＷデータの数が各撮像装置１２について導出部６２により導出された処理能力の各々を超える場合、導出された処理能力の合計が現像処理の対象とするＲＡＷデータの数以上となる複数の撮像装置１２を選択する。現像処理の対象とするＲＡＷデータの数が、ＲＡＷデータの現像処理に要する処理能力の一例である。
【００５７】
表示制御部６４Ａは、画像取得部７２により取得された画像データが示す画像を表示部４３に表示する制御を行う。
【００５８】
次に、図１０を参照して、本実施形態に係る画像処理システム１０の作用を説明する。なお、図１０における図７と同一の処理を実行するステップについては同一の符号を付して、説明を省略する。
【００５９】
図１０のステップＳ１４の処理が終了すると、処理はステップＳ２０Ａに移行する。ステップＳ２０Ａで、選択部６８Ａは、前述したように、ステップＳ１４の処理により導出された処理能力に応じて、撮像装置１２を選択する。
【００６０】
以上説明したように、本実施形態によれば、上記第１実施形態と同様の効果を奏することができる。
【００６１】
なお、上記各実施形態では、ＲＡＷデータの現像処理を含む画像処理を実行する画像処理装置として、撮像装置を適用した場合について説明したが、これに限定されない。ＲＡＷデータの現像処理を含む画像処理を実行する画像処理装置として、内蔵電池によって駆動し、かつ画像処理部２４を有する撮像装置以外の装置を適用してもよい。
【００６２】
また、上記各実施形態では、撮像装置１２におけるＲＡＷデータの現像処理の処理能力として、撮像装置１２が現像可能なＲＡＷデータの数の上限値を適用した場合について説明したが、これに限定されない。例えば、撮像装置１２におけるＲＡＷデータの現像処理の処理能力として、撮像装置１２がＲＡＷデータの現像処理を実行可能な期間の上限値を適用する形態としてもよい。
【００６３】
また、上記各実施形態でＣＰＵがソフトウェア（プログラム）を実行することにより実行した各種処理を、ＣＰＵ以外の各種のプロセッサが実行してもよい。この場合のプロセッサとしては、ＦＰＧＡ（Field-Programmable Gate Array）等の製造後に回路構成を変更可能なＰＬＤ（Programmable Logic Device）、及びＡＳＩＣ（Application Specific Integrated Circuit）等の特定の処理を実行させるために専用に設計された回路構成を有するプロセッサである専用電気回路等が例示される。また、上記各種処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【００６４】
また、上記各実施形態では、情報処理プログラム５０が記憶部４２に予め記憶（インストール）されている態様を説明したが、これに限定されない。情報処理プログラム５０は、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、情報処理プログラム５０は、ネットワークを介して外部装置からダウンロードされる形態としてもよい。
【００６５】
２０１８年３月２８日に出願された日本国特許出願２０１８−０６２７２７号の開示は、その全体が参照により本明細書に取り込まれる。また、本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【図１】
0006986136.tif 000002
【図２】
0006986136.tif 000003
【図３】
0006986136.tif 000004
【図４】
0006986136.tif 000005
【図５】
0006986136.tif 000006
【図６】
0006986136.tif 000007
【図７】
0006986136.tif 000008
【図８】
0006986136.tif 000009
【図９】
0006986136.tif 000010
【図１０】
0006986136.tif 000011